(57)【要約】      （修正有）【課題】デスクトップパネルのようなパネル部を有していても、或いは配線蓋上に本その他の物品が載置されていても、配線作業を容易に行うことが可能な、デスクトップパネルを備えるデスクを提供する。【解決手段】デスク１は、天板１０の反使用縁側１０ｘで天板面Ｐ１とほぼ面一に連続する配線蓋部３３と、配線蓋部３３の反使用縁側３３ｘの端部から起立するパネル部３１とが一体的に構成されたパネル本体３０が、位置決め突起６０及び位置決め開口を介してデスク本体２に着脱可能に設けられており、パネル本体３０がデスク本体２から取り外されることで、配線蓋部３３によって上方が閉塞されていた配線空間Ｓが露出するように構成される。【選択図】図３
2014113296.tif 000002
【特許請求の範囲】
【請求項１】
天板の反使用縁側で天板面とほぼ面一に連続する配線蓋部と、当該配線蓋部の反使用縁側の端部から起立するパネル部とが一体的に構成されたパネル本体が、位置決め手段を介してデスク本体に着脱可能に設けられ、
パネル本体がデスク本体から取り外されることで、配線蓋部によって上方が閉塞されていた配線空間が露出することを特徴とするデスク。
【請求項２】
パネル本体が、その左右両端部にパネル部と配線蓋部とを繋ぐ横パネル部を具備することを特徴とする請求項１記載のデスク。
【請求項３】
横パネル部の奥行きが配線蓋部の奥行き以上であり、横パネル部の高さがパネル部の高さとほぼ同等であることを特徴とする請求項２記載のデスク。
【請求項４】
パネル部に、配線蓋部上の領域を幅方向に仕切り得る仕切り手段が着脱可能に設けられていることを特徴とする請求項１〜３のいずれかに記載のデスク。
【請求項５】
パネル部の前方上縁部に下方に開口する溝部を設けることによって、仕切り手段を取り付ける取付部を形成していることを特徴とする請求項４記載のデスク。
【請求項６】
パネル本体をデスク本体に装着することで、両側面に配線空間に連通する横配線孔が閉成され、背面に当該配線空間に連通する奥行き配線孔が閉成されることを特徴とする請求項１〜５のいずれかに記載のデスク。
【発明の詳細な説明】
【技術分野】
【０００１】
本発明は、デスクトップパネルのようなパネル部に邪魔されることなく、机上の物品等にも妨げられることなく、配線蓋を簡単、確実に取り外して、配線作業を容易に行えるようにしたデスクに関するものである。
【背景技術】
【０００２】
近年、デスクの天板上でコンピュータワークが行われることが多く、例えば特許文献１には、天板の反使用縁側にＯＡ機器のコード類を落とし込むための配線空間を形成したデスクが開示されている。また、特許文献１に開示のデスクには、配線空間の上方を配線蓋で閉塞するとともに、配線蓋の反使用縁近傍にそこから起立するデスクトップパネルが取り付けられており、デスクを対向配置した場合に向かい合って着座するユーザ同士の視線を遮ることが可能である。
【先行技術文献】
【特許文献】
【０００３】
【特許文献１】特開２０１０−９９３５７号公報
【発明の概要】
【発明が解決しようとする課題】
【０００４】
ところで、この種のデスクにおいては、配線作業を行う際に、配線蓋を閉止位置から一旦退避させる必要があるが、特許文献１のようにデスクトップパネルが配線蓋の近傍に取り付けられていると、デスクトップパネルが邪魔をして配線蓋を容易に退避させることができないという課題がある。また、配線作業を行うにあたり配線蓋上に本その他の物品が載置されている場合には、まずそれらの物品を配線蓋上から移動させる必要があり、手間が掛かるという課題がある。
【０００５】
本発明は、上記のような課題を解消するデスクを提供することを目的としており、具体的には、デスクトップパネルのようなパネル部を有していても、或いは配線蓋上に本その他の物品が載置されていても、配線蓋を簡単に取り外して配線作業を容易に行うことが可能なデスクを提供することを目的とする。
【課題を解決するための手段】
【０００６】
本発明は、かかる目的を達成するために、次のような手段を講じたものである。
【０００７】
すなわち、本発明のデスクは、天板の反使用縁側で天板面とほぼ面一に連続する配線蓋部と、当該配線蓋部の反使用縁側の端部から起立するパネル部とが一体的に構成されたパネル本体が、位置決め手段を介してデスク本体に着脱可能に設けられ、パネル本体がデスク本体から取り外されることで、配線蓋部によって上方が閉塞されていた配線空間が露出することを特徴とする。
【０００８】
このように構成すると、配線蓋部とパネル部とを一体でデスク本体から取り外すことができるので、配線蓋部を取り外す際にパネル部が邪魔になることが無く、配線蓋部を簡単に取り外して配線作業を容易に行うことができる。また、配線蓋部上に本その他の物品が載置されている場合でも、それらの物品を移動させることなく載置させたままパネル本体をデスク本体から取り外すことができる。
【０００９】
比較的薄くて軽量な材料で作製した場合でもパネル本体の強度を確保するとともに、パネル本体の着脱時に把手として利用可能な部分を増やしてパネル本体の着脱をより容易にするためには、パネル本体が、その左右両端部にパネル部と配線蓋部とを繋ぐ横パネル部を具備することが望ましい。
【００１０】
本その他の物品の立てかけを可能にして利便性を向上させるとともに、当該物品を立てかけたままパネル本体の取り外しを可能にするには、横パネル部の奥行きが配線蓋部の奥行き以上であり、横パネル部の高さがパネル部の高さとほぼ同等であることが望ましい。
【００１１】
パネル部の幅方向全域に本その他の物品を安定して立てかけるためには、パネル部に、配線蓋部上の領域を幅方向に仕切り得る仕切り手段が着脱可能に設けられていることが望ましい。
【００１２】
仕切り手段を取り付けるための取付構造やそのための部品を別途採用することなく、パネル部に仕切り手段を簡単に取り付けるためには、パネル部の前方上縁部に下方に開口する溝部を設けることによって、仕切り手段を取り付ける取付部を形成していることが望ましい。
【００１３】
配線空間にある配線を容易に側方あるいは背面側に引き回すとともに、引き回した配線をその位置に適切に収めておくためには、パネル本体をデスク本体に装着することで、両側面に配線空間に連通する横配線孔が閉成され、背面に当該配線空間に連通する奥行き配線孔が閉成されることが望ましい。
【００１４】
なお、閉成とは、周囲が閉じた状態に形成されることをいう。
【発明の効果】
【００１５】
本発明は、以上説明した構成であるから、配線蓋部の近傍にパネル部を有していても、或いは配線蓋部上に本その他の物品が載置されていても、配線蓋部をパネル部とともに容易に取り外すことができ、これにより配線作業の便を向上させた新規有用なデスクを提供することができる。
【図面の簡単な説明】
【００１６】
【図１】本発明の一実施形態に係るデスクの斜視図。
【図２】同デスクの背面を示す斜視図。
【図３】同デスクをパネル本体を取り外した状態で示す斜視図。
【図４】同デスクの分解斜視図。
【図５】パネル部の側断面図。
【図６】同デスクを複数個連結した状態で示す斜視図。
【図７】同デスクの他の使用形態を示す斜視図。
【図８】本発明の変形例を示す図。
【発明を実施するための形態】
【００１７】
以下、本発明の一実施形態を、図面を参照して説明する。
【００１８】
本実施形態のデスク１は、図１，２に示すように、デスク本体２とパネル本体３０とを含んで構成される。
【００１９】
デスク本体２は、互いに対向して配置される一対の脚部２０，２０と、一対の脚部２０，２０によって支持された矩形状の天板１０と、脚部２０，２０間の後方に取り付けられた背板５０とを含むもので、脚部２０の上面には図３に示すように天板受け２１ａの後方に隣接させてパネル受け２１ｂが設定され、天板１０はこのパネル受け２１ｂの前方の前記天板受け２１ａ上に載置されている。平面視において天板１０の反使用縁側１０ｘの端部、その後方の背板５０、幅方向両端の脚２０，２０によって囲まれる矩形状の部位は天板１０下の配線空間Ｓを上方に開口させる開口部として利用される。
【００２０】
図１，３に示すようにパネル本体３０は、天板１０の幅寸法に略対応する幅寸法を有する配線蓋部３３と、配線蓋部３３の幅寸法に略対応する幅寸法を有し当該配線蓋部３３の反使用縁側３３ｘの端部から起立するパネル部３１と、パネル部３１と配線蓋部３３とを幅方向両端において繋ぐ一対の横パネル部３２，３２とが一体的に形成されているもので、このパネル本体３０をパネル受け２１ｂに載せ置いた状態で前記配線空間Ｓが閉止され、また配線蓋部３３の蓋面Ｐ２と天板面Ｐ１が略面一に連続し得るように配線蓋部３３の各部の寸法等が設定されている。
【００２１】
前記配線空間ＳはＯＡ機器のコード類（配線１００（図６参照））を引き回し、収納する場所として利用されるものであり、前端部５５ａが上方に折り曲げられた配線受け５５（図３参照）が幅方向に沿って適宜位置に適宜個数（この実施形態では幅方向に離間して２個）、背板５０を介して取り付けられている。
【００２２】
図１に示すように、横パネル部３２，３２は、奥行き寸法ｄ１が配線蓋部３３の奥行き寸法ｄ２より大きく、高さ寸法ｈ１がパネル部３１の高さ寸法ｈ２とほぼ同等となるように構成された矩形板状のパネル本体部３２ｘを主体とし、このパネル本体部３２ｘの前端部下方に側面視逆三角形状の突出部３２ｂを有するもので、突出部３２ｂの下面と蓋面Ｐ２とは略同一高さ位置に設定されている。
【００２３】
図３，４に示すように、配線蓋部３３の左右方向中央部には配線空間Ｓに連通する中央開口３３ａが形成されており、中央開口３３ａの内側には枠材３６が取り付けられ、枠材３６の内側は着脱可能な中央蓋３７によって一部が塞がれ得るようにしている。中央蓋３７は、矩形の板状部材であり、枠材３６に落とし込んで枠材３６の内方に設けた段部３６ａに係合し、中央開口３３ａの一部を塞ぐものである。配線空間Ｓにある配線１００は、中央開口３３ａから枠材３６の内側を通して、或いは枠材３６と中央蓋３７の隙間３３ｂを通して天板１０上に案内することが可能とされる。
【００２４】
ここで、上述したパネル部３１，配線蓋部３３および横パネル部３２，３２からなるパネル本体３０の具体的な構造、及び、デスク本体２に対するパネル本体３０の具体的な位置決め構造について説明しておく。
【００２５】
パネル部３１及び配線蓋部３３は、それぞれスチール板を折り曲げ加工して作製され、一部を溶接等によって接合されたものであり、パネル本体３０は、これらパネル部３１及び配線蓋部３３に、差し込み片６３（図４参照）を介して横パネル部３２，３２を取り付けることによって一体的に構成される。図４に示すように、パネル部３１の下端部には、直角に複数回折り曲げられてパネル部側折り曲げ部分３１Ａが形成され、配線蓋部３３の使用縁側３３ｙの端部には、直角に複数回折り曲げられて配線蓋部側折り曲げ部分３３Ａが形成されて、これらの折り曲げ部分３１Ａ、３３Ａが配線蓋部３３の見掛け上の厚みを構成しており、その厚みは天板１０の厚みに略対応している。パネル部側折り曲げ部分３１Ａ及び配線蓋部側折り曲げ部分３３Ａにはそれぞれ上下方向に貫通するネジ挿通孔６２，６２が形成されている。一方、横パネル部３２，３２は、パネル本体３２ｘの下端における前記折り曲げ部分３１Ａ、３３Ａに対応する２箇所に天板１０の厚みに対応する寸法の突出部３２ａ，３２ａを有するとともに、この突出部３２ａを含む内面側には側面視下向きコ字状の差し込み片６３が内側に向けて突設されており、この差し込み片６３が前記配線蓋部３３の折り曲げ部分３１Ａと蓋面Ｐ２との隙間、折り曲げ部分３３Ａと蓋面Ｐ２との隙間に緊密に差し込まれるようにしている。差し込み片６３には、差し込んだ位置で前記配線蓋部３３のネジ挿通孔６２に対応する位置にねじ孔６３ａ，６３ａが形成してあり、ネジ挿通孔６２，６２を介して折り曲げ部分３１Ａ，３３Ａに下方から挿通したネジを、差し込み片６３のねじ孔６３ａ，６３ａに締結して、横パネル３２の配線蓋部３３からの抜脱を規制するようにしている。なお、差し込み片６３が配線蓋部３３内に差し込まれることで、配線蓋部３３の左右両端の開口が図３に示すように横パネル部３２，３２によって部分的に覆われ、突出部３２ａ、３２ａ間の空隙はこれに連通する配線蓋部３３の折り曲げ部分３１Ａ、３３Ａ間の空隙とともに側方に開口した状態となる。
【００２６】
また、図４に示すように、折り曲げ部分３１Ａ、３３Ａには、位置決め手段としての位置決め開口６１，６１がネジ挿通孔６２，６２の近傍に上下方向に貫通して形成されており、対する脚部２０，２０上端のパネル受け２１ｂ，２１ｂには、前記位置決め開口６１に対応する位置に位置決め手段として先端に丸みを有する円柱状の位置決め突起６０が形成されている。パネル本体３０をデスク本体２に装着する際には、位置決め突起６０が位置決め開口６１に嵌り込むようにパネル本体３０をパネル受け２１ｂ上に落とし込むことで、デスク本体２に対してパネル本体３０が前後左右に位置決め状態で載置される。
【００２７】
さらに、このパネル本体３０には、図１，４に示すように、パネル部３１を利用して配線蓋部３３上の領域Ｒを幅方向に仕切り得る仕切り手段としての仕切り４０が複数個（本実施形態では２個）着脱可能に取り付けられている。仕切り４０は、仕切り本体４２と、この仕切り本体４２の後端から直交方向に延びる取り付け板部４１と、この取り付け板部４１の上端から上方に延びる係留部４３とを含む。係留部４３には、前後方向に弾性変形可能な爪４４，４４が形成されている。一方、図５に示すようにパネル部３１には、その前方上縁部すなわち使用者側の上縁部を幅方向全体に亘って曲げて下方に開口する溝部３１ａを設けることで、開口４５ａよりも内空の広がった取付部４５が幅方向に連続して形成されており、その取付部４５の開口４５ａに、下方から差し込まれた仕切り４０の係留部４３の爪４４，４４を一時的に弾性変形させて係留させることで、パネル部３１の幅方向に沿った任意の位置に仕切り４０を取り付け可能とし、また、取り付けた状態のままで幅方向に移動可能としている。また、爪４４の下端４４ａを押さえながら仕切り４０を下方に引っ張ることで、仕切り４０をパネル部３１から取り外すことができる。
【００２８】
なお、図２に示すように、背板５０には上端部の中央に切り欠き５０ａが形成されている。
【００２９】
以上のように構成されるパネル本体３０を、図１，２に示すようにデスク本体２に装着し、横パネル３２，３２下方の突出部３２ａ，３２ａがパネル受け２１ｂ，２１ｂ上に載置されると、蓋面Ｐ２は天板面Ｐ１と略面一に連続し、横パネル３２，３２の前端に設けた逆三角形状の突出部３２ｂ，３２ｂが天板面Ｐ１上に接地状態で迫り出して、天板面Ｐ１の反使用縁側１０ｘを三方から囲い込むように配置される。この状態で、突出部３２ａ，３２ａ間に形成されている下向きに開放された隙間がパネル受け２１ｂ，２１ｂで閉じられ、デスク１の両側面に配線空間Ｓに連通する横配線孔３４，３４が閉成される。また、背板５０に設けられた切り欠き５０ａの開放縁がパネル部３１によって閉じられ、デスク１の背面に配線空間Ｓに連通する奥行き配線孔３５が閉成される。
【００３０】
横配線孔３４，３４及び奥行き配線孔３５は、配線空間Ｓにある配線１００を外部に案内するものであり、例えば図６に示すように、本実施形態のデスク１にこれと実質的に同一構成のデスク１ａ〜１ｃを幅方向に隣接させて配置した場合や対面配置させた場合に、隣接するデスク１，１ａの前述した横配線孔３４，３４同士、対向するデスク１，１ｂの前述した奥行き配線孔３５，３５同士が連続するため、それらのデスク１，１ａ〜１ｃ間で配線空間Ｓにある配線１００を引き回すために利用可能となる。
【００３１】
以上のように、本実施形態のデスク１は、天板１０の反使用縁側１０ｘで天板面Ｐ１とほぼ面一に連続する配線蓋部３３と、配線蓋部３３の反使用縁側３３ｘの端部から起立するパネル部３１とが一体的に構成されたパネル本体３０が、位置決め手段としての位置決め突起６０及び位置決め開口６１を介してデスク本体２に着脱可能に設けられ、パネル本体３０がデスク本体２から取り外されることで、配線蓋部３３によって上方が閉塞されていた配線空間Ｓが露出するように構成したものである。
【００３２】
このような構成であるので、配線蓋部３３とパネル部３１とを一体でデスク本体２から取り外すことができ、配線蓋部３３を取り外す際にパネル部３１が邪魔になることが無く、配線蓋部３３を簡単に取り外して配線作業を容易に行うことができる。このため、配線蓋部３３上に本その他の物品（以下「物品等」と記載する）１０１（図６参照）が載置されている場合にも、これらを載置させたままパネル本体３０をデスク本体２から取り外すことが可能となり、配線処理の便をさらに有効に高めることができる。
【００３３】
また、パネル本体３０が、その左右両端部にパネル部３１と配線蓋部３３とを繋ぐ横パネル部３２，３２を具備しているので、パネル本体３０を比較的薄くて軽量な材料で作製した場合でも強度を確保することができる。また、パネル部３１に加えて横パネル部３２，３２もパネル本体３０の着脱時の把手として利用することができるので、パネル本体３０をより簡単に着脱することができるようになる。
【００３４】
特に、横パネル部３２，３２の奥行きｄ１が配線蓋部３３の奥行きｄ２以上であり、横パネル部３２，３２の高さｈ１がパネル部３１の高さｈ２とほぼ同等となるように構成しているので、横パネル部３２，３２に物品等１０１を効果的に立てかけることができ、使用時の利便性が向上することとなる。また、物品等１０１を横パネル部３２，３２に立てかけたままパネル本体３０をデスク本体２から取り外すことができるので、机上の作業状態を極力崩すことなく配線作業を行うことができる。
【００３５】
さらに、パネル部３１に、配線蓋部３３上の領域Ｒを幅方向に仕切り得る仕切り手段としての仕切り４０を着脱可能に取り付けるように構成しているので、パネル部３１の幅方向全域に物品等１０１を安定して立てかけることができる。
【００３６】
また、パネル部３１前方の上縁部に下方に開口する溝部３１ａを設けることによって、仕切り４０を取り付ける取付部４５を形成しているので、仕切り４０を取り付けるための取付構造やそのための部品を別途採用することなしに、パネル部３１に仕切り４０を簡単に取り付けることができ、デスク１の構造の複雑化及び製造コストの上昇を抑制することができる。なお、この取付部４５は、パネル本体３０を持ち上げてデスク本体２から取り外す際の作業者の指掛かりとしても利用することが可能である。
【００３７】
さらに、パネル本体３０をデスク本体２に装着することで、デスク１の両側面に配線空間Ｓに連通する横配線孔３４，３４が閉成され、デスク１の背面に配線空間Ｓに連通する奥行き配線孔３５が閉成されるように構成しているので、デスク１，１ａ〜１ｃを幅方向に隣接又は対面配置させた場合に、パネル本体３０を装着していない状態でそれらのデスク１，１ａ〜１ｃ間で配線空間Ｓにある配線１００を縦横に容易に引き回すとともに、パネル本体３０を装着することによって配線１００を引き回した位置に適切に収めておくことができる。
【００３８】
なお、パネル本体３０は、パネル部３１の高さ寸法ｈ２が通常のデスクトップパネルの高さ寸法よりも小さいミニパネルであるが、執務に集中するために必要な囲われ感があり、また、パネル部３１がスチールで構成されているためマグネット１０３（図７参照）等を使用して種々の物品をパネル部３１に取り付けることができ、パネル部３１の上縁部を利用すれば図７に示すようにトレー１０２も簡単に引っ掛けて取り付けることが可能となるものである。さらに図７に示すようにコンセントタップＣＴをパネル部３１に取り付けることもできるようになる。
【００３９】
以上、本発明の一実施形態について説明したが、各部の具体的な構成は、上述した実施形態のみに限定されるものではなく、本発明の趣旨を逸脱しない範囲で種々変形が可能である。
【００４０】
例えば、本実施形態では、パネル本体３０を構成する配線蓋部３３とパネル部３１がそれぞれ別個にスチール材で構成されて溶接等により接合して構成されているが、スチール材を一体に折り曲げてパネル本体３０を構成する配線蓋部３３とパネル部３１を形成してもよい。
【００４１】
或いは、本実施形態では、仕切り４０は、パネル本体３０とは別個の部材であるが、仕切り４０とパネル本体３０とが一体的に形成されていてもよい。
【００４２】
また、本実施形態では、パネル本体３０は横パネル部３２，３２を備えるとともに仕切り４０が取り付けられているが、図６に示すデスク１ａのパネル本体３０のように、横パネル部３２，３２を備えなくてもよく、またデスク１ｃのパネル本体３０のように、仕切り４０が取り付けられていなくてもよい。さらに、デスク１ｂのパネル本体３０のように、仕切り４０が３個以上取り付けられていてもよい。
【００４３】
また、本実施形態では、位置決め手段としてデスク本体２に位置決め突起６０、パネル本体３０に位置決め開口６１が形成されているが、パネル本体３０に位置決め突起、デスク本体２に位置決め開口が形成されていてもよい。
【００４４】
また、配線蓋部３３の中央開口３３ａは、落とし蓋的な中央蓋３７によって塞がれているが、これに限定されず例えば回転式の蓋によって塞がれていてもよい。
【００４５】
また、本実施形態では、図２に示すように背板５０の幅方向に沿った一部に設けられた切り欠き５０ａの開放縁がパネル部３１によって閉じられることでデスク１の背面に奥行き配線孔３５が部分的に形成されたが、図８に示すデスク２００のように、脚部２０，２０に対して上下方向に取付位置を変更可能にした背面視矩形状の背板２５０を、当該背板２５０の上端面２５０ａが脚部２０の上面よりも低くなる位置で脚部２０，２０間に取り付け、背板２５０の上端面２５０ａと脚部２０，２０の内面２０ａ，２０ａとで形成された凹部の開放縁をパネル部３１によって閉じることで、背板２５０の幅寸法ほぼ全域に奥行き配線孔２３５が閉成されるようにしてもよい。このような奥行き配線孔２３５を備えるデスク２００では、配線空間Ｓにある配線１００をデスク２００の幅方向におけるどの位置からでも後方に引き回すことが可能となる。このデスク２００は、対面配置しない場合に、背板２５０の取付位置を変えることで奥行き配線孔２３５を無くすことも可能である。
【００４６】
さらに、本実施形態では２個の配線受け５５，５５が取り付けられているが、３個以上取り付けられてもよく、また、図８に示すような、背板２５０の幅寸法に略対応する寸法を有する配線受け２５５が１個だけ取り付けられてもよい。
【符号の説明】
【００４７】
１・・・デスク
２・・・デスク本体
１０・・・天板
１０ｘ・・・反使用縁側
３０・・・パネル本体
３１・・・パネル部
３１ａ・・・溝部
３２・・・横パネル部
３３・・・配線蓋部
３３ｘ・・・反使用縁側
３４・・・横配線孔
３５・・・奥行き配線孔
４０・・・仕切り
４５・・・取付部
６０・・・位置決め突起
６１・・・位置決め開口
ｄ１・・・奥行き
ｄ２・・・奥行き
ｈ１・・・高さ
ｈ２・・・高さ
Ｐ１・・・天板面
Ｓ・・・配線空間
【図１】
2014113296.tif 000003
【図２】
2014113296.tif 000004
【図３】
2014113296.tif 000005
【図４】
2014113296.tif 000006
【図５】
2014113296.tif 000007
【図６】
2014113296.tif 000008
【図７】
2014113296.tif 000009
【図８】
2014113296.tif 000010